(57)【特許請求の範囲】
【請求項１】
矩形状の底面部と、この底面部の４辺から立ち上げられた正面部、背面部及び一対の側面部とを有する包装用袋体であって、前記正面部にはその正面部が立ち上がる底面部の一辺と平行な正面側谷折り部が形成され、前記正面部及び背面部と対向しない２つの側面部には下向きＹ字状の側面側谷折り部が形成されており、前記側面側谷折り部は、側面部の上縁部の中央部から垂下される垂下線と、この垂下線の終端から正面部と側面部と底面部との頂点及び背面部と側面部と底面部との頂点とに向かって伸びる２つの斜行線とを有しており、前記垂下線の終端は底面部からの寸法が、前記正面側谷折り部の底面部からの寸法と同等に設定されており、前記正面側谷折り部から正面部を谷折りすると同時に、前記側面側谷折り部を谷折りすると、正面部が底面部と背面部との間で内側に折り畳まれ、前記背面部の縁部のうち開口側になる上縁部と、正面部と底面部とに共通する一辺とが隣接する包装用袋体において、底面部には底面側窓部が形成されており、この底面側窓部は、正面部、背面部及び一対の側面部から延長される延長片によって開閉されることを特徴とする包装用袋体。
【請求項２】
前記底面部の内側には、底面側窓部を覆う透光性を有する底板が取り付けられていることを特徴とする請求項１記載の包装用袋体。
【請求項３】
前記延長片には、重なった延長片を固定する固定手段が設けられていることを特徴とする請求項１又は２記載の包装用袋体。
【請求項４】
請求項１、２又は３記載の包装用袋体において、折り畳んだ際に、背面部の縁部のうち開口側になる上縁部と、正面部と底面部とに共通する一辺であり、前記上縁部に隣接する底面部の縁部とに把手を設けたことを特徴とする包装用袋体。
【請求項５】
請求項１、２又は３記載の包装用袋体において、折り畳んだ際に、背面部の縁部のうち開口側になる上縁部と一対の側面部の縁部のうち開口側になる上縁部と正面部の縁部のうち開口側になる上縁部とに開設された開口を挿通される紐状の第１の把手と、前記正面部と底面部とに共通する一辺に開設された開口を挿通される紐状の第２の把手とを有しており、折り畳んだ状態では第１の把手と第２の把手との長さが同一になることを特徴とする包装用袋体。
【発明の詳細な説明】
【技術分野】
【０００１】
本発明は、例えばハンカチやＴシャツ等の薄手の物品を包装する包装用袋体に関する。
【背景技術】
【０００２】
一般的な包装用袋体は、図１２に示すように、矩形状の底面部７００と、この底面部７００の４辺から立ち上げられた正面部７１０、背面部７２０及び一対の側面部７３０とを有している。そして、正面部７１０と背面部７２０とには、把手７１１、７２１となる開口部が設けられている。また、開口部の代わりに紐等からなる把手が設けられていることも多い。
かかる包装用袋体に、ハンカチやＴシャツ等の薄手の物品を収納する場合は、図１２に矢印Ｚに示すように、縦方向に入れる。また、底面部が大きいものであれば、物品を底面部に平らに置くようにする。
【０００３】
【特許文献１】特開２００７−４５４５９
【発明の開示】
【発明が解決しようとする課題】
【０００４】
しかしながら、この種の一般的な包装用袋体にハンカチやＴシャツ等のような薄手の物品を縦方向に入れると、薄手の物品は自重によって崩れ落ちてしまい、しわの原因となる。
底面部が大きな包装用袋体であれば、物品を底面部に平らに置くようにするので、薄手の物品が自重によって崩れ落ちるこことはないが、収納される物品のサイズに比較してかなり大きな包装用袋体を使用しなければならない。
【０００５】
本発明は、上記事情に鑑みて創案されたもので、ハンカチやＴシャツ等のような薄手の物品を収納しても崩れることがなく、しかも収納される物品のサイズに見合ったものとすることができる包装用袋体を提供することを目的としている。
【課題を解決するための手段】
【０００６】
本発明に係る包装用袋体は、矩形状の底面部と、この底面部の４辺から立ち上げられた正面部、背面部及び一対の側面部とを有する包装用袋体であって、前記正面部にはその正面部が立ち上がる底面部の一辺と平行な正面側谷折り部が形成され、前記正面部及び背面部と対向しない２つの側面部には下向きＹ字状の側面側谷折り部が形成されており、前記側面側谷折り部は、側面部の上縁部の中央部から垂下される垂下線と、この垂下線の終端から正面部と側面部と底面部との頂点及び背面部と側面部と底面部との頂点とに向かって伸びる２つの斜行線とを有しており、前記垂下線の終端は底面部からの寸法が、前記正面側谷折り部の底面部からの寸法と同等に設定されており、前記正面側谷折り部から正面部を谷折りすると同時に、前記側面側谷折り部を谷折りすると、正面部が底面部と背面部との間で内側に折り畳まれ、前記背面部の縁部のうち開口側になる上縁部と、正面部と底面部とに共通する一辺とが隣接する包装用袋体において、底面部には底面側窓部が形成されており、この底面側窓部は、正面部、背面部及び一対の側面部から延長される延長片によって開閉されるように構成されている。
【０００７】
また、前記底面部の内側には、底面側窓部を覆う透光性を有する底板が取り付けられている。
【０００８】
また、延長片には、重なった延長片を固定する固定手段が設けられている。
【０００９】
折り畳んだ際に、背面部の縁部のうち開口側になる上縁部と、正面部と底面部とに共通する一辺であり、前記上縁部に隣接する底面部の縁部とに把手を設けてもよい。
【発明の効果】
【００１０】
本発明に係る包装用袋体は、折り畳むと、底面部に平らに置かれて収納されたＴシャツ等の薄手の物品は、折り畳まれた正面部と背面部によって上側から抑え込まれて挟み込まれるため、従来の包装用袋体のように、自重によって崩れ落ちることがない。よって、物品にしわがよらない。また、しかも収納される物品のサイズに見合ったものとすることができる。
しかも、底面側窓部を開けると、収納されたＴシャツ等の物品を見ることができる。つまり、Ｔシャツ等を収納し、かつ底面側窓部を開けた状態で店頭等においてディスプレイすることができる。この包装用袋体は、底面側窓部を閉じると、あたかもアタッシュケースの如き外観となりスタイリッシュである。
【発明を実施するための最良の形態】
【００１１】
図１は本発明の第１の実施の形態に係る包装用袋体を開いた状態の概略的斜視図、図２は本発明の第１の実施の形態に係る包装用袋体を開いた状態の概略的平面図、図３は本発明の第１の実施の形態に係る包装用袋体を閉じた状態の概略的斜視図、図４は本発明の第１の実施の形態に係る包装用袋体を閉じた状態の概略的正面図、図５は本発明の第１の実施の形態に係る包装用袋体を閉じて底面側窓部を開けた状態の概略的斜視図、図６は本発明の第１の実施の形態に係る包装用袋体を閉じて底面窓部を開けた状態の概略的正面図、図７は本発明の第１の実施の形態に係る包装用袋体を折り畳む手順を示す概略的斜視図、図８は本発明の第１の実施の形態に係る包装用袋体がほぼ折り畳まれた状態を示す概略的斜視図、図９は本発明の第１の実施の形態に係る包装用袋体の底面部の折り畳み方を示す底面部側からみた概略的斜視図、図１０は本発明の第２の実施の形態に係る包装用袋体を開いた状態の概略的斜視図、図１１は本発明の第３の実施の形態に係る包装用袋体を閉じた状態で底面側窓部を開けた状態の概略的正面図である。
【００１２】
本発明の第１の実施の形態に係る包装用袋体Ａは、図１等に示すように、矩形状の底面部１００と、この底面部１００の４辺から立ち上げられた正面部２００、背面部３００及び一対の側面部４００とを有する包装用袋体である。
【００１３】
係る包装用袋体Ａは、前記正面部２００にはその正面部２００が立ち上がる底面部１００の一辺Ｌ１と平行な正面側谷折り部２１０が形成され、前記正面部２００及び背面部３００と対向しない２つの側面部４００には下向きＹ字状の側面側谷折り部４１０が形成されており、前記側面側谷折り部４１０は、側面部４００の上縁部４２０の中央部から垂下される垂下線４１１と、この垂下線４１１の終端から正面部２００と側面部４００と底面部１００との頂点Ｐ１及び背面部３００と側面部４００と底面部１００との頂点Ｐ２とに向かって伸びる２つの斜行線４１２とを有しており、前記垂下線４１１の終端は底面部１００からの寸法Ｈ２が、前記正面側谷折り部２１０の底面部１００からの寸法Ｈ１と同等に設定されており、前記正面側谷折り部２１０から正面部２００を谷折りすると同時に、前記側面側谷折り部４１０を谷折りすると、正面部２００が底面部１００と背面部３００との間で内側に折り畳まれ、前記背面部３００の縁部のうち開口側になる上縁部３１０と、正面部２００と底面部１００とに共通する一辺Ｌ１とが隣接する包装用袋体であって、底面部１００には底面側窓部１５０が形成されており、この底面側窓部１５０は、正面部２００、背面部３００及び一対の側面部４００から延長される延長片１５１、１５２、１５３によって開閉されるように構成されている。
【００１４】
まず、この包装用袋体Ａは、紙や薄い合成樹脂製フィルムから構成されている。なお、本明細書中において、谷折りとは折り目が凹となる方向に折り込むことを意味し、山折りとは折り目が凸となる方向に折り込むことを意味する。
【００１５】
この包装用袋体Ａの底面部１００は、例えば、収納すべき物品がＴシャツである場合、折り畳んだＴシャツと平面視サイズと同等の大きさを有する長方形状に設定されている。すなわち、この底面部１００に折り畳んだＴシャツを平らに置くことができるようにするためである。
【００１６】
底面部１００の４辺のうち、一対の長辺からは正面部２００と背面部３００とがそれぞれ立ち上げられ、一対の短辺からは一対の側面部４００がそれぞれ立ち上げられている。もちろん、正面部２００の両側部の辺は側面部４００の一方の辺と、背面部の両側部の辺は側面部４００の他方の辺と共通になっている。
【００１７】
すなわち、この包装用袋体Ａは、有底の四角筒形状に形成されているのである。
【００１８】
まず、正面部２００には、略中央部に底面部１００と共通する一辺Ｌ１と平行な正面側谷折り部２１０が設けられている。正面部２００は、この正面側谷折り部２１０において谷折りとすることができるのである。
【００１９】
また、一対の側面部４００には、下向きＹ字状の側面側谷折り部４１０が設けられている。この側面側谷折り部４１０は、側面部４００の上縁部４２０の中央部から下方に向かった垂下線４１１と、この垂下線４１１の下端から側面部４００の下端側の角部に向かう一対の斜行線４１２とから構成されるのである。前記下端側の角部は、正面部２００側では、正面部２００と側面部４００と底面部１００との頂点Ｐ１に、背面部３００側では、背面部３００と側面部４００と底面部１００との頂点Ｐ２にそれぞれ相当する。
【００２０】
もちろん、この側面側谷折り部４１０を構成する垂下線４１１と斜行線４１２とによって、側面部４００は谷折りとすることができるのである。
【００２１】
なお、前記垂下線４１１の終端と底面部１００との間の寸法Ｈ２と、前記正面側谷折り部２１０と底面部１００との間の寸法Ｈ１とは等しく設定されている。
【００２２】
一方、前記背面部３００と底面部１００とには、紐からなる把手５１０、５２０が設けられている。
背面部３００の把手５１０は、包装用袋体Ａを折り畳んだ際に、背面部３００の縁部のうち開口側になる上縁部３１０に設けられている。
また、底面部１００側の把手５２０は、包装用袋体Ａを折り畳んだ際に、前記上縁部３１０に隣接する縁部、すなわち正面部２００と底面部１００とに共通する一辺Ｌ１に設けられている。
【００２３】
また、底面部１００の内側には、図２に示すように、底面側窓部１５０を覆う透光性を有する底板１６０が取り付けられている。この底板１６０は、例えば透明な合成樹脂板や透明な合成樹脂フィルムからなる。この底板１６０が設けられることによって、底面側窓部１５０を開いた状態でも、底面部１００が抜けるということはない。
【００２４】
この包装用袋体Ａは、紙や薄い合成樹脂請求項フィルムを四角筒に形成し、図９に示すように、下端部を折り込むことで底面部１００を構成している。
【００２５】
一対の側面部４００となる部分は、図９（Ａ）に示すように、正面部２００や背面部３００となる部分より長く設定されている。紙面手前側の側面部４００となる部分に破線で示す部分と紙面奥側の側面部４００となる部分に破線で示す部分とを山折りに、正面部２００となる部分に一点鎖線で示す部分と背面部３００となる部分に一点鎖線で示す部分とを谷折りする。すると、図９（Ｂ）に示すように、一対の略台形状の延長片１５２が形成される。
【００２６】
この後、図９（Ｃ）に示すように、正面部２００が立ち上がる底面部１００の一辺Ｌ１となる部分（先程、谷折りした部分、図９（Ｂ）では破線で示す）と、背面部３００と底面部１００とに共通する一辺Ｌ２となる部分（先程、谷折りした部分、図９（Ｂ）では破線で示す）とを山折りする、すなわち正面部２００の延長片１５３と、背面部３００の延長片１５３とを内側に向かって折り込むことで底面部１００を構成するのである。
【００２７】
すなわち、一対の側面部４００の延長部分である延長片１５２と、正面部２００の延長部分である延長片１５１と、背面部３００の延長部分である延長片１５３とを重ね合わせることで底面部１００を構成する。
この底面部１００のうち、図９（Ｂ）に斜線で示す台形状の部分は糊代となっている。
【００２８】
また、図９（Ｃ）や図２や図３に破線で示す部分から、底面部１００を構成する各延長片１５１、１５２、１５３を開くことができるようになっている。すなわち、この部分が底面側窓部１５０を覆うようになるのである。
【００２９】
また、正面部２００から延長された延長片１５１の裏面側と、背面部３００から延長された延長片１５３の外面側とには、それぞれが重なる部分に固定手段としての面ファスナー６００が設けられている（背面部３００から延長された延長片１５３の面ファスナーは図示を省略している）。従って、前記両延長片１５１、１５３を重ねて面ファスナー６００で固定することにより、底面部１００の底面側窓部１５０は延長片１５１、１５２、１５３によって閉じられることになる。なお、各延長片１５１、１５２、１５３は、図２、図３及び図４に示す破線の部分から開けられることになる。
【００３０】
次に、このように構成された包装用袋体Ａを用いてＴシャツを収納する際の折り畳み方について説明する。
まず、図１に示すような状態、すなわち包装用袋体Ａを開いた状態とし、底面部１００に折り畳んだＴシャツを平らに置く。
次に、図７に示すように、正面部２００の正面側谷折り部２１０と、側面部４００の側面側谷折り部４１０とに沿って正面部２００と側面部４００とを谷折りする。
すると、正面部２００と底面部１００とに共通する一辺Ｌ１は山折りとなり、背面部３００と底面部１００とに共通する一辺Ｌ２も山折りとなり、側面部４００と底面部１００とに共通する一辺Ｌ３も山折りとなる。
【００３１】
正面部２００を完全に折り畳むと、上側から背面部３００、側面側谷折り部４１０で折り畳まれた側面部４００、正面側谷折り部２１０で折り畳まれた正面部２００、底面部１００の順に積み重なった状態となる。この状態では、収納されたＴシャツ等の物品は、半分は折り畳まれた正面部２００によって上側から抑え込まれ、他の半分は背面部３００によって上側から抑え込まれることになる。
【００３２】
このような状態でＴシャツ等の薄手の物品を収納した包装用袋体Ａは、図３に示すような状態、すなわち把手５１０、５２０を上向きにした状態で持ち運ばれる。この状態では、上述したように、収納されたＴシャツ等の物品は、縦方向にはなるが、正面部２００と背面部３００とによって挟み込まれるため、従来の包装用袋体のように、自重によって崩れ落ちることがない。よって、物品にしわがよらない。
【００３３】
図５や図６に示すように、底面側窓部１５０を開けると、収納された物品を底板１６０を介して見ることができる。すなわち、物品を収納した状態で底面側窓部１５０を開けた状態でディスプレイすることができるのである。
【００３４】
上述した第１の実施の形態に係る包装用袋体Ａでは、把手５１０は背面部３００に、把手５２０は底面部１００にそれぞれ設けたが、図１０に示す本発明の第２の実施の形態に係る包装用袋体Ｂのようにすることも可能である。
【００３５】
この本発明の第２の実施の形態に係る包装用袋体Ｂでは、背面部３００の上縁部３１０に沿って２つの開口３５０、一対の側面部４００の上縁部４２０に沿ってそれぞれ２つずつの開口４５０、正面部２００の上縁部に２つの開口２５０を開設し、これら開口３５０、４５０、２５０に紐状の第１の把手５１０Ｂを挿通するのである。
【００３６】
また、この本発明の第２の実施の形態に係る包装用袋体Ｂでは、底面部１００に設ける把手５２０も紐状のものとして、底面部１００の一辺Ｌ１に沿って２つの開口（図示省略）設け、この開口に第２の把手５２０Ｂを挿通するのである。
【００３７】
この場合、把手５１０Ｂと把手５２０Ｂとは、同じ長さとしておく。
【００３８】
この包装用袋体Ｂを折り畳んだ状態では、第１の把手５１０Ｂ及び第２の把手５２０Ｂを最も長く延ばして使用する。また、包装用袋体Ｂを折り畳まずに第１の把手５１０Ｂのみで把持することも可能である。この場合は、第１の把手５１０Ｂによって、包装用袋体Ｂは閉じられた状態となる。なお、第２の把手５２０Ｂは包装用袋体Ｂの内側に引っ張り込んでおくとよい。
【００３９】
また、図１１に示す本発明の第３の実施の形態に係る包装用袋体Ｃのように、正面部２００からの延長片１５１と、背面部３００からの延長片１５３を台形状ではなく長方形状とすることも可能である。
【００４０】
また、上述した包装用袋体Ａ〜Ｃには、把手が設けられていたが、本発明に係る包装用袋体においては、これらの把手は必須のものではなく、把手を設けないことも可能である。
特に、ハンカチ等の薄手かつ小型の物品を収納する小型のものの場合は、上述のような把手がなくともよい。
【００４１】
また、底面部１００の内側には、底面側窓部１５０を覆う透光性を有する底板１６０を取り付けるとしたが、内部に収納する物品自身を例えば透明なビニール袋等で包装するのであれば、底板１６０は必須ではない。
【００４２】
また、各延長片のうち、延長片１５１と延長片１５３とに固定手段としての面ファスナ６００を設けるとしたが、段ボール箱の底のように各延長片１５１、１５２、１５３を互い違いに組み合わせることによって底面部１００を構成するようにしてもよい。
【００４３】
さらに、この包装用袋体Ａは、薄手の物品を郵送する際の封筒としても利用することができる。この場合は、上述のような把手を設けないほうが取扱いに便利である。このように封筒として使用する場合には、郵便番号を記載するための郵便番号記載用枠を予め印刷しておくとよい。
【図面の簡単な説明】
【００４４】
【図１】本発明の第１の実施の形態に係る包装用袋体を開いた状態の概略的斜視図である。
【図２】本発明の第１の実施の形態に係る包装用袋体を開いた状態の概略的平面図である。
【図３】本発明の第１の実施の形態に係る包装用袋体を閉じた状態の概略的斜視図である。
【図４】本発明の第１の実施の形態に係る包装用袋体を閉じた状態の概略的正面図である。
【図５】本発明の第１の実施の形態に係る包装用袋体を閉じて底面側窓部を開けた状態の概略的斜視図である。
【図６】本発明の第１の実施の形態に係る包装用袋体を閉じて底面窓部を開けた状態の概略的正面図である。
【図７】本発明の第１の実施の形態に係る包装用袋体を折り畳む手順を示す概略的斜視図である。
【図８】本発明の第１の実施の形態に係る包装用袋体がほぼ折り畳まれた状態を示す概略的斜視図である。
【図９】本発明の第１の実施の形態に係る包装用袋体の底面部の折り畳み方を示す底面部側からみた概略的斜視図である。
【図１０】本発明の第２の実施の形態に係る包装用袋体を開いた状態の概略的斜視図である。
【図１１】本発明の第３の実施の形態に係る包装用袋体を閉じた状態で底面側窓部を開けた状態の概略的正面図である。
【図１２】従来の一般的な包装用袋体の概略的斜視図である。
【符号の説明】
【００４５】
１００    底面部
１５０    底面側窓部
１５１    延長片
１５２    延長片
１５３    延長片
２００    正面部
２１０    正面側谷折り線
３００    背面部
４００    側面部
４１０    側面側谷折り部
４１１    垂下線
４１２    斜行線
【図１】
0004722162.tif 000002
【図２】
0004722162.tif 000003
【図３】
0004722162.tif 000004
【図４】
0004722162.tif 000005
【図５】
0004722162.tif 000006
【図６】
0004722162.tif 000007
【図７】
0004722162.tif 000008
【図８】
0004722162.tif 000009
【図９】
0004722162.tif 000010
【図１０】
0004722162.tif 000011
【図１１】
0004722162.tif 000012
【図１２】
0004722162.tif 000013